(57)【要約】【課題】  複数の変調方式を用いる通信システムにおいて、送信電力の仕様が異なる複数種類の通信装置が存在する場合に適した通信装置を提供する。【解決手段】  第１の信号生成部１１は、送信データからＡＳＫ変調方式用のベースバンド変調信号を生成する。第２の信号生成部１２は、送信データから非ＡＳＫ変調方式用のベースバンド変調信号を生成する。非ＡＳＫ変調を行う場合、スイッチ１５は、入力端子ｄと出力端子とを接続し、非ＡＳＫ変調に対応したベースバンド変調信号を出力する。ＡＳＫ変調方式／非ＡＳＫ変調方式の送信電力比を１倍にしてＡＳＫ変調を行う場合、スイッチ１４は、入力端子ｂと出力端子とを接続し、スイッチ１５は、入力端子ｃと出力端子とを接続する。上記送信電力比を２倍にしてＡＳＫ変調を行う場合、スイッチ１４は、入力端子ａと出力端子とを接続し、スイッチ１５は、入力端子ｃと出力端子とを接続する。【選択図】  図１
2005278162.tif 000002
【特許請求の範囲】
【請求項１】
ＡＳＫ変調方式又はＢＰＳＫ変調方式を用いる片軸変調方式と、ＡＳＫ変調方式又はＢＰＳＫ変調方式以外の変調方式を用いる両軸変調方式とを、選択的に利用してデータ通信を行う通信装置であって、
受信データについて所定の受信処理を行う受信部と、
前記受信部から受信データを入力して所定の処理を行うと共に、所定の処理によって生じた送信データを出力するデータ処理部と、
前記データ処理部から出力される送信データに所定の送信処理を施して送出する送信部とを備え、
前記送信部は、
片軸変調方式用のベースバンド変調信号を生成する第１の信号生成部と、
両軸変調方式用のベースバンド変調信号対を生成する第２の信号生成部と、
両軸変調を行う場合、前記第２の信号生成部が生成したベースバンド変調信号対を選択し、片軸変調を行う場合、前記第１の信号生成部が生成したベースバンド変調信号と固定値の信号との信号対又は当該ベースバンド変調信号を両軸に用いた信号対のいずれかを、送信電力に応じて選択する変調方式選択部と、
前記変調方式選択部で選択された信号対に周波数変換を施して、変調された高周波信号を出力する直交変調部と、
前記直交変調部で変調された高周波信号を増幅し、アンテナから送信する高周波電力増幅部とを備える、通信装置。
【請求項２】
前記変調方式選択部は、
前記第１の信号生成部が生成したベースバンド変調信号と前記固定値の信号とを入力し、所定の電力比指定信号に基づいていずれか一方の信号を出力する電力比スイッチと、
前記第１の信号生成部が生成したベースバンド変調信号と前記電力比スイッチが出力する信号との信号対と、前記第２の信号生成部が生成したベースバンド変調信号対とを入力し、所定の変調方式指定信号に基づいていずれか一方の信号対を出力する変調方式スイッチとを含む、請求項１に記載の通信装置。
【請求項３】
前記変調方式選択部は、
前記第１の信号生成部が生成したベースバンド変調信号と前記固定値の信号との信号対と、前記第２の信号生成部が生成したベースバンド変調信号対とを入力し、所定の変調方式指定信号に基づいていずれか一方の信号対を出力する変調方式スイッチと、
前記変調方式スイッチが出力する信号対を入力し、片軸変調を利用する場合には、所定の電力比指定信号に基づいて、当該入力した信号対をそのまま又は当該入力した信号のうちの前記ベースバンド変調信号を両軸に用いた信号対のいずれか一方を出力する電力比スイッチとを含む、請求項１に記載の通信装置。
【請求項４】
前記変調方式選択部は、
前記第１の信号生成部が生成したベースバンド変調信号を両軸に用いた信号対と、前記第２の信号生成部が生成したベースバンド変調信号対とを入力し、所定の変調方式指定信号に基づいていずれか一方の信号対を出力する変調方式スイッチと、
前記変調方式スイッチが出力する信号対を入力し、片軸変調を利用する場合には、所定の電力比指定信号に基づいて、当該入力した信号対をそのまま又は当該入力した信号のどちらか１軸を前記固定値の信号に切り替えた信号対のいずれか一方を出力する電力比スイッチとを含む、請求項１に記載の通信装置。
【請求項５】
ＡＳＫ変調方式又はＢＰＳＫ変調方式を用いる片軸変調方式と、ＡＳＫ変調方式又はＢＰＳＫ変調方式以外の変調方式を用いる両軸変調方式とを、選択的に利用してデータ送信を行う送信装置であって、
片軸変調方式用のベースバンド変調信号を生成する第１の信号生成部と、
両軸変調方式用のベースバンド変調信号対を生成する第２の信号生成部と、
両軸変調を行う場合、前記第２の信号生成部が生成したベースバンド変調信号対を選択し、片軸変調を行う場合、前記第１の信号生成部が生成したベースバンド変調信号と固定値の信号との信号対又は当該ベースバンド変調信号を両軸に用いた信号対のいずれかを、送信電力に応じて選択する変調方式選択部と、
前記変調方式選択部で選択された信号対に周波数変換を施して、変調された高周波信号を出力する直交変調部と、
前記直交変調部で変調された高周波信号を増幅し、アンテナから送信する高周波電力増幅部とを備える、送信装置。
【請求項６】
前記変調方式選択部は、
前記第１の信号生成部が生成したベースバンド変調信号と前記固定値の信号とを入力し、所定の電力比指定信号に基づいていずれか一方の信号を出力する電力比スイッチと、
前記第１の信号生成部が生成したベースバンド変調信号と前記電力比スイッチが出力する信号との信号対と、前記第２の信号生成部が生成したベースバンド変調信号対とを入力し、所定の変調方式指定信号に基づいていずれか一方の信号対を出力する変調方式スイッチとを含む、請求項５に記載の送信装置。
【請求項７】
前記変調方式選択部は、
前記第１の信号生成部が生成したベースバンド変調信号と前記固定値の信号との信号対と、前記第２の信号生成部が生成したベースバンド変調信号対とを入力し、所定の変調方式指定信号に基づいていずれか一方の信号対を出力する変調方式スイッチと、
前記変調方式スイッチが出力する信号対を入力し、片軸変調を利用する場合には、所定の電力比指定信号に基づいて、当該入力した信号対をそのまま又は当該入力した信号のうちの前記ベースバンド変調信号を両軸に用いた信号対のいずれか一方を出力する電力比スイッチとを含む、請求項５に記載の送信装置。
【請求項８】
前記変調方式選択部は、
前記第１の信号生成部が生成したベースバンド変調信号を両軸に用いた信号対と、前記第２の信号生成部が生成したベースバンド変調信号対とを入力し、所定の変調方式指定信号に基づいていずれか一方の信号対を出力する変調方式スイッチと、
前記変調方式スイッチが出力する信号対を入力し、片軸変調を利用する場合には、所定の電力比指定信号に基づいて、当該入力した信号対をそのまま又は当該入力した信号のどちらか１軸を前記固定値の信号に切り替えた信号対のいずれか一方を出力する電力比スイッチとを含む、請求項５に記載の送信装置。
【請求項９】
ＡＳＫ変調方式又はＢＰＳＫ変調方式を用いる片軸変調方式と、ＡＳＫ変調方式又はＢＰＳＫ変調方式以外の変調方式を用いる両軸変調方式とを、選択的に利用してデータ送信を行う送信装置に用いられる集積回路であって、
ベースバンド変調信号対に周波数変換を施して変調された高周波信号を出力する直交変調部と、当該直交変調部で変調された高周波信号を増幅してアンテナから送信する高周波電力増幅部とを備える送信装置に組み込まれ、
片軸変調方式用のベースバンド変調信号を生成する第１の信号生成部、
両軸変調方式用のベースバンド変調信号対を生成する第２の信号生成部、及び
両軸変調を行う場合、前記第２の信号生成部が生成したベースバンド変調信号対を選択し、片軸変調を行う場合、前記第１の信号生成部が生成したベースバンド変調信号と固定値の信号との信号対又は当該ベースバンド変調信号を両軸に用いた信号対のいずれかを、送信電力に応じて選択する変調方式選択部として機能する回路を集積している、集積回路。
【請求項１０】
ＡＳＫ変調方式又はＢＰＳＫ変調方式を用いる片軸変調方式と、ＡＳＫ変調方式又はＢＰＳＫ変調方式以外の変調方式を用いる両軸変調方式とを、選択的に利用してデータ送信を行う送信方法であって、
片軸変調方式用のベースバンド変調信号を生成する第１の信号生成ステップと、
両軸変調方式用のベースバンド変調信号対を生成する第２の信号生成ステップと、
両軸変調を行う場合、前記第２の信号生成ステップで生成したベースバンド変調信号対を選択し、片軸変調を行う場合、前記第１の信号生成ステップで生成したベースバンド変調信号と固定値の信号との信号対又は当該ベースバンド変調信号を両軸に用いた信号対のいずれかを、送信電力に応じて選択する選択ステップとを備える、送信方法。
【請求項１１】
前記選択ステップで選択した信号対に周波数変換を施して、変調された高周波信号を出力する直交変換ステップと、
前記直交変調ステップで変調した高周波信号を増幅し、アンテナから送信する増幅ステップとをさらに備える、請求項１０に記載の送信方法。
【発明の詳細な説明】
【技術分野】
【０００１】
本発明は、通信装置に関し、より特定的には、ＡＳＫ（或いはＢＰＳＫ）変調方式又はＡＳＫ（或いはＢＰＳＫ）以外の変調方式のいずれかを選択して、変調された信号を送信することが可能な通信装置に関する。
【背景技術】
【０００２】
一般に、変調された信号を用いて通信を行う場合、伝送路の状態や送りたいデータの量に応じて変調方式を選ぶことがある。例えば、高度道路交通システムの狭域通信（ＤＳＲＣ：Ｄｅｄｉｃａｔｅｄ  Ｓｈｏｒｔ−Ｒａｎｇｅ  Ｃｏｍｍｕｎｉｃａｔｉｏｎ）システムでは、ＡＳＫ変調方式とＱＰＳＫ変調方式とが使用可能である。
【０００３】
図１２は、変調方式を選ぶことができる従来の通信装置の一例を示す図である。この従来の通信装置では、ＡＳＫ変調を行う時もＱＰＳＫ変調を行う時も、帯域制限したベースバンド信号を高周波信号と乗算することにより、変調された高周波信号を得ている（例えば、米国特許公開：ＵＳ２００３／０１５７８８８Ａ１（図５）、対応基礎出願：特開２００３−２４４２６０号公報を参照）。
【０００４】
図１２において、従来の通信装置は、ＡＳＫデータ生成部２０１と、ＱＰＳＫデータ生成部２０２と、データ選択部２０３と、低域通過フィルタ部２０４及び２０５と、直交変調部２０６と、信号源２０７と、高周波電力増幅部２０８と、送信アンテナ２０９とを備える。なお、上記先行特許文献の図面には、データ選択部２０３が特に明記されていないが、ＡＳＫデータ生成部２０１の出力とＱＰＳＫデータ生成部２０２の出力との衝突を防止するための構成が必須であるため、データ選択部２０３を追記している。
【０００５】
ＡＳＫデータ生成部２０１は、所定のデータからＡＳＫデータを生成する。ＱＰＳＫデータ生成部２０２は、所定のデータからＱＰＳＫデータを生成する。データ選択部２０３は、２端子が一対となった２つの入力端子と２端子が一対となった１つの出力端子を有し、別途与えられる変調方式指定信号に基づいて入力端子と出力端子との接続切り替えを制御するスイッチである。図１２の例では、一方の入力端子（入力１）にはＡＳＫデータ生成部２０１が出力するデータと値ゼロのデータとが一対で入力され、他方の入力端子（入力２）にはＱＰＳＫデータ生成部２０２が出力する一対となったデータがそれぞれ入力される。低域通過フィルタ部２０４及び２０５は、それぞれデータ選択部２０３が出力する対になったデータの高域成分を除去して、ベースバンド変調信号として出力する。直交変調部２０６は、低域通過フィルタ部２０４及び２０５が出力するベースバンド変調信号に対して、信号源２０７が発生する信号を用いた周波数変換を施して、ＡＳＫ変調又はＱＰＳＫで変調された高周波信号を出力する。高周波電力増幅部２０８は、直交変調部２０６で変調された高周波信号を増幅し、送信アンテナ２０９から放射する。
【０００６】
ＡＳＫ変調を行う場合には、ＡＳＫ変調方式を指定する変調方式指定信号がデータ選択部２０３に通知される。この通知を受けて、データ選択部２０３は、入力１端子と出力端子との接続に切り替えて、ＡＳＫデータ生成部２０１が出力するＡＳＫ変調に対応した片軸のベースバンド変調信号と値ゼロの信号とを、低域通過フィルタ部２０４及び２０５へ出力する。
【０００７】
ＱＰＳＫ変調を行う場合には、ＱＰＳＫ変調方式を指定する変調方式指定信号が、データ選択部２０３に通知される。この通知を受けて、データ選択部２０３は、入力２端子と出力端子との接続に切り替えて、ＱＰＳＫデータ生成部２０２が出力するＱＰＳＫ変調に対応した対になったベースバンド変調信号を、低域通過フィルタ部２０４及び２０５へ出力する。
【０００８】
ここで、ＡＳＫ変調及びＱＰＳＫ変調と、高周波電力増幅部２０８が出力する送信電力との関係について説明する。送信電力は、直交変調部２０６が出力する高周波信号の電力と、高周波電力増幅部２０８の利得とで定まる。直交変調部２０６が出力する高周波信号の電力は、ＡＳＫ変調を行う時にはＡＳＫデータ生成部２０１が出力するデータの振幅と低域通過フィルタ部２０４及び２０５の係数とで定まり、ＱＰＳＫ変調を行う時にはＱＰＳＫデータ生成部２０２が出力するデータの振幅と低域通過フィルタ部２０４及び２０５の係数とで定まる。よって、ＡＳＫ変調を行った時に高周波電力増幅部２０８が出力する送信電力と、ＱＰＳＫ変調を行った時に高周波電力増幅部２０８が出力する送信電力との比は、設計により定まる固定値である。
【特許文献１】特開２００３−２４４２６０号公報（第７ページ、図５）
【特許文献２】米国特許出願公開第２００３／０１５７８８８号明細書
【発明の開示】
【発明が解決しようとする課題】
【０００９】
通信システムは、通常複数の通信装置で構成され、この複数の通信装置は、その種類により重視される仕様がそれぞれ異なる。例えば、無線通信システムの基地局を構成する通信装置は、システム全体の動作に大きく影響するため、伝送誤りの少なさが重視される。一方、移動機を構成する通信装置は、一般ユーザーが所有するため、低コストが重視される。
【００１０】
通信装置を構成する要素の中で、伝送誤りの少なさとコストの両者に関わる要素の１つに、高周波電力増幅部がある。伝送誤りの少なさが重視される通信装置においては、出力可能な電力が高いものを選定するのが望ましく、これに対して低コストが重視される通信装置においては、出力可能な電力が多少低くとも安価なものを選定するのが望ましい。また、高周波電力増幅部を選定する際には、変調方式によって出力可能な電力が異なる点も留意する必要がある。
【００１１】
狭域通信システムを一例に挙げて説明する。この狭域通信システムの標準規格には、クラス１の基地局及び移動機について、ＡＳＫ変調を行う時も、π／４シフトＱＰＳＫ（以下、ＱＰＳＫと記す）変調を行う時も、送信電力の上限は１０ｍＷであると規定されている。ここで、送信電力は、ＡＳＫ変調の時は空中線電力の尖頭値で、ＱＰＳＫ変調の時は空中線電力の平均値で与えられる。これに対し、ＡＳＫ変調を行う時に尖頭値１０ｍＷを出力することを目標に作られた安価な高周波電力増幅部は、ＱＰＳＫ変調を行う時には平均値５ｍＷ程度しか出力できない。
【００１２】
伝送誤りの少なさが重視される通信装置においては、通信相手であるコスト重視の通信装置の感度があまり良くないとう制約もあり、ＱＰＳＫ変調を行う時に１０ｍＷを出力可能な高周波電力増幅部を選定するのが望ましい。よって、ＡＳＫ変調／ＱＰＳＫ変調を行う時の送信電力は、標準規格の上限である１０ｍＷ／１０ｍＷが望ましい。一方、低コストが重視される通信装置においては、ＱＰＳＫ変調を行う時に出力可能な電力が５ｍＷ程度となるが、安価な高周波電力増幅部を選定するのが望ましい。よって、ＡＳＫ変調／ＱＰＳＫ変調を行う時の送信電力は、１０ｍＷ／５ｍＷが望ましい。
つまり、ＡＳＫ変調を行った時に高周波電力増幅部が出力する送信電力と、ＱＰＳＫ変調を行った時に高周波電力増幅部が出力する送信電力との比は、通信装置の種類によって異なる。
【００１３】
しかしながら、従来の通信装置では、ＡＳＫ変調を行った時に高周波電力増幅部が出力する送信電力と、ＱＰＳＫ変調を行った時に高周波電力増幅部が出力する送信電力との比は、データ生成部と低域通過フィルタ部の設計によって決まる固定値であった。従って、通信装置の種類によって複数の種類のデータ生成部又は低域通過フィルタ部が必要となり、大量生産によるコスト低減の効果を十分得ることができなかった。
【００１４】
また、通信装置の種類に適さないデータ生成部と低域通過フィルタ部とを用いた場合には、高周波電力増幅部として高価なものが必要であった。例えば、ＡＳＫ変調／ＱＰＳＫ変調を行う時の送信電力の比が「１」になるよう設計されたデータ生成部と低域通過フィルタ部とを、低コストが重視される通信装置に用いた場合を考える。この場合には、安価な高周波電力増幅部ではＱＰＳＫ変調を行う時のみならずＡＳＫ変調を行う時も送信電力が５ｍＷとなり、伝送の信頼性に問題が生じる。つまり、安価な高周波電力増幅部は使えなかった。
【００１５】
そこで、ＡＳＫ変調／ＱＰＳＫ変調を行う時の送信電力比が、１０ｍＷ／１０ｍＷ＝１となる場合と、１０ｍＷ／５ｍＷ＝２となる場合との２通りを同一の通信装置で実現するためには、通常は次のような構成（Ａ）又は（Ｂ）が必要となる。
（Ａ）図１２の直交変調部２０６より前段に、振幅を√２倍増幅させる乗算器を設ける。この構成では、２進数で表した場合に桁数が多くなる約１．４倍という数を扱う必要があり、デジタル信号処理のハードウェア規模が増大してコストが上昇する。
（Ｂ）図１２の高周波電力増幅部２０８の入力に、可変減衰器又は利得可変増幅器を設ける。この構成では、高周波部品の追加により送信電力の安定性が劣化すると共に、コストが上昇する。
【００１６】
それ故に、本発明の目的は、複数の変調方式を用いる通信システムにおいて、送信電力の仕様が異なる複数種類の通信装置が存在する場合に、特別な構成を追加することなく、かつ、送信電力の安定性を劣化させることなく、コスト低減及び回路の共通化を図った通信装置を提供することである。
【課題を解決するための手段】
【００１７】
本発明は、ＡＳＫ変調方式又はＢＰＳＫ変調方式を用いる片軸変調方式と、ＡＳＫ変調方式又はＢＰＳＫ変調方式以外の変調方式を用いる両軸変調方式とを、選択的に利用してデータ通信を行う通信装置、及びこの通信装置を構成する送信装置に向けられている。そして、上記目的を達成させるために、本発明の送信装置は、第１及び第２の信号生成部、変調方式選択部、直交変調部、及び高周波電力増幅部を備えている。
【００１８】
第１の信号生成部は、片軸変調方式用のベースバンド変調信号を生成する。第２の信号生成部は、両軸変調方式用のベースバンド変調信号対を生成する。変調方式選択部は、両軸変調を行う場合、第２の信号生成部が生成したベースバンド変調信号対を選択し、片軸変調を行う場合、第１の信号生成部が生成したベースバンド変調信号と固定値の信号との信号対又は当該ベースバンド変調信号を両軸に用いた信号対のいずれかを、送信電力に応じて選択する。直交変調部は、変調方式選択部で選択された信号対に周波数変換を施して、変調された高周波信号を出力する。高周波電力増幅部は、直交変調部で変調された高周波信号を増幅し、アンテナから送信する。
【００１９】
好ましくは、変調方式選択部は、第１の信号生成部が生成したベースバンド変調信号と固定値の信号とを入力し、所定の電力比指定信号に基づいていずれか一方の信号を出力する電力比スイッチと、第１の信号生成部が生成したベースバンド変調信号と電力比スイッチが出力する信号との信号対と、第２の信号生成部が生成したベースバンド変調信号対とを入力し、所定の変調方式指定信号に基づいていずれか一方の信号対を出力する変調方式スイッチとで構成される。
【００２０】
又は、変調方式選択部は、第１の信号生成部が生成したベースバンド変調信号と固定値の信号との信号対と、第２の信号生成部が生成したベースバンド変調信号対とを入力し、所定の変調方式指定信号に基づいていずれか一方の信号対を出力する変調方式スイッチと、変調方式スイッチが出力する信号対を入力し、片軸変調を利用する場合には、所定の電力比指定信号に基づいて、当該入力した信号対をそのまま又は当該入力した信号のうちのベースバンド変調信号を両軸に用いた信号対のいずれか一方を出力する電力比スイッチとで構成される。
【００２１】
あるいは、変調方式選択部は、第１の信号生成部が生成したベースバンド変調信号を両軸に用いた信号対と、第２の信号生成部が生成したベースバンド変調信号対とを入力し、所定の変調方式指定信号に基づいていずれか一方の信号対を出力する変調方式スイッチと、変調方式スイッチが出力する信号対を入力し、片軸変調を利用する場合には、所定の電力比指定信号に基づいて、当該入力した信号対をそのまま又は当該入力した信号のどちらか１軸を固定値の信号に切り替えた信号対のいずれか一方を出力する電力比スイッチとで構成される。
【００２２】
上述した送信装置の各構成が行うそれぞれの処理は、一連の処理手順を与える送信方法として捉えることができる。この方法は、一連の処理手順をコンピュータに実行させるためのプログラムの形式で提供されてもよい。このプログラムは、コンピュータ読み取り可能な記録媒体に記録された形態で、コンピュータに導入されてもよい。また、上述した送信装置を構成する一部又は全部の機能ブロックは、集積回路であるＬＳＩとして実現されてもよい。
【発明の効果】
【００２３】
上記のように、本発明の通信装置によれば、ＡＳＫ変調を行った時の送信電力とＡＳＫ以外の変調を行った時の送信電力との比を、通信装置の種類に合わせて変えることができるので、その通信装置の種類に適したコストの高周波電力増幅部を選定及び実装することができる。また、高周波電力増幅部以外の大部分を共通化できるので、大量生産によるコストダウンを図ることができる。
【発明を実施するための最良の形態】
【００２４】
本発明の通信装置で利用可能な片軸変調方式としては、ＡＳＫ変調方式やＢＰＳＫ変調方式が挙げられる。なお、将来に規格化される変調方式も、片軸変調方式であればもちろん本発明の適用が可能である。
以下、片軸変調方式としてＡＳＫ変調方式を、両軸変調方式としてＡＳＫ以外の変調方式を用いた場合を一例に挙げて、本発明の通信装置を説明する。このＡＳＫ変調方式には、多値ＡＳＫ変調方式が含まれる。また、ＡＳＫ以外の変調方式には、ＱＰＳＫ、ＱＡＭ及びＭＳＫ等の位相変調成分を持つ変調方式が存在する。
【００２５】
（第１の実施形態）
図１は、本発明の第１の実施形態に係る通信装置１の構成を示すブロック図である。図１において、第１の実施形態に係る通信装置１は、送信部１０、受信部５０、データ処理部６０、送信アンテナ７０及び受信アンテナ８０から構成される。受信部５０は、受信アンテナ８０で受信したデータについて所定の受信処理を行う。データ処理部６０は、受信部５０から受信データを入力して所定の処理を行うと共に、所定の処理によって生じた送信データを送信部１０へ出力する。送信部１０は、データ処理部６０から出力される送信データに所定の送信処理を施して、送信アンテナ７０から送出する。送信アンテナ７０と受信アンテナ８０は、共用化してもよい。また、通信装置を送信機能だけを搭載した送信装置とする場合には、受信部５０及び受信アンテナ８０の構成は不要となる。
【００２６】
本発明の通信装置１は、送信部１０に特徴的な構成を用いて、変調方式の切り替え処理を以下のように実現する。
送信部１０は、第１の信号生成部１１と、第２の信号生成部１２と、変調方式選択部１３と、直交変調部１６と、信号源１７と、高周波電力増幅部（ＰＡ）１８とを備える。このＡＳＫ変調方式を用いた例では、第１の信号生成部１１がＡＳＫ変調方式用ベースバンド変調信号生成部１１となり、第２の信号生成部１２が非ＡＳＫ変調方式用ベースバンド変調信号生成部１２となる。また、変調方式選択部１３は、電力比スイッチ１４及び変調方式スイッチ１５で構成される。
【００２７】
ＡＳＫ変調方式用ベースバンド変調信号生成部１１は、データ処理部６０から送信データを入力し、ＡＳＫ変調方式用の片軸のベースバンド変調信号を生成する。図２Ａ及び図３Ａに、ＡＳＫ変調方式用ベースバンド変調信号生成部１１の構成例を示す。図２Ａに示す構成では、送信データは、符号化部１１１で符号化され、マッピング部１１２でＡＳＫ変調方式に応じた値にマッピングされた後、低域通過フィルタ部１１３を通って帯域制限されたベースバンド変調信号として出力される。ＡＳＫ変調方式用の回路を、ＡＳＫ以外の変調方式用の回路と別構成にしたことにより、マッピング部１１２や低域通過フィルタ部１１３で用いる演算用の係数を固定値とし、回路規模を縮小することができる。
【００２８】
また、図３Ａに示す構成は、上記図２Ａにおけるマッピング部１１２と低域通過フィルタ部１１３とによる演算結果を波形ＲＯＭ１１６に予め記憶しておき、送信データに応じて演算結果を波形ＲＯＭ１１６から読み出すようにしたものである。低域通過フィルタ部１１３の応答持続時間に相当するデータ系列に対して変調シンボル内の波形を記憶しておけば、ベースバンド変調信号を生成できることが知られている。そこで、図３Ａに示す構成では、送信データが、符号化部１１１で符号化され、シフトレジスタ１１５で所定の長さのデータ系列に変換された後、波形ＲＯＭ１１６に与えられる。波形ＲＯＭ１１６では、カウンタ１１７が与える変調シンボル内の時間に応じてデータ系列に対する波形が読み出され、ベースバンド変調信号として出力される。ＡＳＫ変調方式用の回路を、ＡＳＫ以外の変調方式用の回路と別構成にしたことにより、波形ＲＯＭ１１６の無駄な記憶容量をなくし、回路規模を縮小することができる。
【００２９】
非ＡＳＫ変調方式用ベースバンド変調信号生成部１２は、データ処理部６０から送信データを入力し、ＡＳＫ以外の任意の変調方式用の両軸が一対となったベースバンド変調信号を生成する。図２Ｂ及び図３Ｂに、非ＡＳＫ変調方式用ベースバンド変調信号生成部１２の構成例を示す。図２Ｂに示す構成では、送信データは、符号化部１２１で符号化され、マッピング部１２２で任意の変調方式に応じた対となった値にマッピングされた後、それぞれ低域通過フィルタ部１２３及び１２４を通って帯域制限されたベースバンド変調信号として出力される。ＡＳＫ以外の変調方式用の回路を、ＡＳＫ変調方式用の回路と別構成にしたことにより、マッピング部１２２や低域通過フィルタ部１２３及び１２４で用いる演算用の係数を固定値とし、回路規模を縮小することができる。
【００３０】
また、図３Ｂに示す構成では、上記図３Ａの構成と同様に、送信データは、符号化部１２１で符号化され、シフトレジスタ１２５で所定の長さのデータ系列に変換された後、波形ＲＯＭ１２６に与えられる。波形ＲＯＭ１２６では、カウンタ１２７が与える変調シンボル内の時間に応じてデータ系列に対する波形が読み出され、ベースバンド変調信号として出力される。ＡＳＫ以外の変調方式用の回路を、ＡＳＫ変調方式用の回路と別構成にしたことにより、波形ＲＯＭ１２６の無駄な記憶容量をなくし、回路規模を縮小することができる。
【００３１】
電力比スイッチ１４は、２つの入力端子と１つの出力端子を有し、別途与えられる指定信号に基づいて入力端子と出力端子との接続切り替えを制御するスイッチである。図１の例では、一方の入力端子ａにはＡＳＫ変調方式用ベースバンド変調信号生成部１１が出力する信号が、他方の入力端子ｂには値ゼロの信号がそれぞれ入力され、指定信号としてＡＳＫ電力比を指定する信号が与えられる。このＡＳＫ電力比の指定は、レジスタ等に設定した電気的な指定でも、スイッチの接点位置のような機械的な指定でもよい。また、入力端子ｂに入力される値ゼロの信号とは、直交変調部１６に入力された際に高周波信号の振幅がゼロになる固定値の信号であることを意味する。
【００３２】
変調方式スイッチ１５は、２端子が一対となった２つの入力端子と２端子が一対となった１つの出力端子を有し、別途与えられる指定信号に基づいて入力端子と出力端子との接続切り替えを制御するスイッチである。図１の例では、一方の入力端子ｃにはＡＳＫ変調方式用ベースバンド変調信号生成部１１が出力する信号と電力比スイッチ１４が出力する信号とが一対で入力され、他方の入力端子ｄには非ＡＳＫ変調方式用ベースバンド変調信号生成部１２が出力する一対となった信号がそれぞれ入力され、指定信号として変調方式を指定する信号が与えられる。
【００３３】
この変調方式選択部１３で行われる接続切り替え制御は、送信データに施したい変調方式及び送信電力比に応じて、電力比スイッチ１４及び変調方式スイッチ１５が図４に示す組み合わせで切り替えられる。変調方式は変調方式指定信号によって、送信電力比はＡＳＫ電力比指定信号によって、それぞれ指定される。なお、変調方式の指定は、送信データの種類、通信相手、又は通信相手から受信した制御信号等に応じて、自由に決めることが可能である。送信電力比の指定は、通信装置の種類により固定される場合が多いが、動的に変えてもよい。
【００３４】
（１）ＡＳＫ以外の変調を行う場合には、ＡＳＫ以外の変調方式を指定する変調方式指定信号が、変調方式スイッチ１５に通知される。この通知を受けて、変調方式スイッチ１５は、入力端子ｄと出力端子との接続に切り替えて、非ＡＳＫ変調方式用ベースバンド変調信号生成部１２が出力するＡＳＫ以外の変調に対応した対になったベースバンド変調信号を、直交変調部１６へ出力する。
【００３５】
（２）ＡＳＫ変調を行う場合であって、ＡＳＫ変調方式の送信電力とＡＳＫ以外の変調方式の送信電力との比を１倍にする場合には、ＡＳＫ電力比「１」を指定するＡＳＫ電力比指定信号が電力比スイッチ１４に通知され、ＡＳＫ変調方式を指定する変調方式指定信号が変調方式スイッチ１５に通知される。この通知を受けて、電力比スイッチ１４は、入力端子ｂと出力端子との接続に切り替えて、値ゼロの信号を変調方式スイッチ１５の入力端子ｃの一方端子へ出力する。また、変調方式スイッチ１５は、入力端子ｃと出力端子との接続に切り替えて、ＡＳＫ変調方式用ベースバンド変調信号生成部１１が出力するＡＳＫ変調に対応した片軸のベースバンド変調信号及び値ゼロの信号を、直交変調部１６へ出力する。
【００３６】
（３）ＡＳＫ変調を行う場合であって、ＡＳＫ変調方式の送信電力とＡＳＫ以外の変調方式の送信電力との比を２倍にする場合には、ＡＳＫ電力比「２」を指定するＡＳＫ電力比指定信号が電力比スイッチ１４に通知され、ＡＳＫ変調方式を指定する変調方式指定信号が変調方式スイッチ１５に通知される。この通知を受けて、電力比スイッチ１４は、入力端子ａと出力端子との接続に切り替えて、ＡＳＫ変調方式用ベースバンド変調信号生成部１１が出力するＡＳＫ変調に対応した片軸のベースバンド変調信号を変調方式スイッチ１５の入力端子ｃの一方端子へ出力する。また、変調方式スイッチ１５は、入力端子ｃと出力端子との接続に切り替えて、ＡＳＫ変調方式用ベースバンド変調信号生成部１１が出力するＡＳＫ変調に対応した片軸のベースバンド変調信号が両軸入力となる信号対を、直交変調部１６へ出力する。
【００３７】
直交変調部１６は、変調方式スイッチ１５が出力するベースバンド変調信号に対して、信号源１７が発生する信号を用いた周波数変換を施して、ＡＳＫ変調又はＡＳＫ以外で変調された高周波信号を出力する。高周波電力増幅部１８は、直交変調部１６で変調された高周波信号を増幅し、送信アンテナ７０から放射する。
【００３８】
狭域通信システムを例に挙げて、ＡＳＫ以外の変調としてπ／４シフトＱＰＳＫ変調（以下、ＱＰＳＫと記す）を用いた場合の送信電力を説明する。図５に、直交変調部１６における直交変調時の信号空間ダイアグラム例を示す。Ｉ軸及びＱ軸は、対となるベースバンド変調信号のそれぞれの軸である。
図５において、○印で示した点がＱＰＳＫの信号点であり、×印で示した点がＡＳＫの信号点である。ＡＳＫ電力比指定が「１」である場合、Ｉ軸入力がＡＳＫ変調方式用ベースバンド変調信号で、Ｑ軸入力が値ゼロの信号であるため、そのＡＳＫの信号点はＡの×印とＢの×印になる。一方、ＡＳＫ電力比指定が「２」である場合、Ｉ軸入力もＱ軸入力も同一のＡＳＫ変調方式用ベースバンド変調信号であるため、そのＡＳＫの信号点はＡの×印とＣの×印になる。ＱＰＳＫ変調（○印）の平均振幅と比べると、ＡＳＫ変調（×印）の尖頭振幅は、ＡＳＫ電力比指定が「１」の場合が１倍、ＡＳＫ電力比指定が「２」の場合が√２倍になっている。
【００３９】
以上のように、本発明の第１の実施形態に係る通信装置１によれば、ＡＳＫ変調を行った時の送信電力とＡＳＫ以外の変調を行った時の送信電力との比を、通信装置の種類に合わせて変えることができるので、その通信装置の種類に適したコストの高周波電力増幅部を選定及び実装することができる。また、高周波電力増幅部以外の大部分を共通化できるので、大量生産によるコストダウンを図ることができる。
【００４０】
例えば、ＡＳＫ電力比指定が「１」では、ＡＳＫ変調／ＱＰＳＫ変調を行う時の送信電力を標準規格の上限である１０ｍＷ／１０ｍＷとなるよう設計でき、ＱＰＳＫ変調を行う時に１０ｍＷを出力可能な高周波電力増幅部を選定して、伝送誤りの少なさが重視される通信装置が実現できる。一方、ＡＳＫ電力比指定が「２」では、ＡＳＫ変調／ＱＰＳＫ変調を行う時の送信電力を１０ｍＷ／５ｍＷとなるよう設計でき、安価な高周波電力増幅部を選定して、低コストの通信装置が実現できる。
【００４１】
なお、上記実施形態では、ＡＳＫ電力比指定は、ＡＳＫ変調方式の送信電力とＡＳＫ以外の変調方式の送信電力との比が１倍である場合に「１」を、同比が２倍である場合に「２」を指定するように記載した。しかし、この指定方法は一例であって、同比が通信時の誤り率特性や回路の実現性等に基づいて決められた任意の値である場合に「１」を、同比が当該任意の値の２倍である場合に「２」を指定してもよい。
また、上記実施形態では、変調方式選択部において電力比スイッチの直後に変調方式スイッチを配置させた。しかし、それらのスイッチの間に、例えばＤ／Ａ変換器やフィルタやレベル変換回路等を設けることは、通常の設計の範囲内である。
【００４２】
（第２の実施形態）
図６は、本発明の第２の実施形態に係る通信装置２の構成を示すブロック図である。図６において、第２の実施形態に係る通信装置２は、送信部２０、受信部５０、データ処理部６０、送信アンテナ７０及び受信アンテナ８０から構成される。送信部２０は、第１の信号生成部１１と、第２の信号生成部１２と、変調方式選択部２３と、直交変調部１６と、信号源１７と、高周波電力増幅部１８とを備える。この第２の実施形態に係る通信装置２は、上記第１の実施形態に係る通信装置１に対して、変調方式選択部２３の構成が異なる。以下、この異なる変調方式選択部２３について説明する。
【００４３】
変調方式選択部２３は、変調方式スイッチ２５、電力比スイッチ２４及びスイッチ制御部２６で構成される。変調方式スイッチ２５は、２端子が一対となった２つの入力端子と２端子が一対となった１つの出力端子を有し、別途与えられる変調方式指定信号に基づいて入力端子と出力端子との接続切り替えを制御するスイッチである。図６の例では、一方の入力端子ｃにはＡＳＫ変調方式用ベースバンド変調信号生成部１１が出力する信号と値ゼロの信号とが一対で入力され、他方の入力端子ｄには非ＡＳＫ変調方式用ベースバンド変調信号生成部１２が出力する一対となった信号がそれぞれ入力される。
【００４４】
スイッチ制御部２６は、別途与えられる変調方式指定信号及びＡＳＫ電力比指定信号に基づいて、電力比スイッチ２４の接続切り替えを制御する。電力比スイッチ２４は、２つの入力端子と１つの出力端子を有し、スイッチ制御部２６の指示に基づいて入力端子と出力端子との接続切り替えを制御するスイッチである。図６の例では、一方の入力端子ａには変調方式スイッチ２５から一対で出力される一方の信号が、他方の入力端子ｂにはその他方の信号がそれぞれ入力される。
【００４５】
この変調方式選択部２３で行われる接続切り替え制御は、送信データに施したい変調方式及び送信電力比に応じて、変調方式スイッチ２５及び電力比スイッチ２４が図７に示す組み合わせで切り替えられる。
（１）ＡＳＫ以外の変調を行う場合には、ＡＳＫ以外の変調方式を指定する変調方式指定信号が、変調方式スイッチ２５及びスイッチ制御部２６に通知される。この通知を受けて、変調方式スイッチ２５は、入力端子ｄと出力端子との接続に切り替える。また、スイッチ制御部２６は、この通知を受けて、電力比スイッチ２４を入力端子ｂと出力端子との接続に切り替える制御を行う。この切り替えにより、非ＡＳＫ変調方式用ベースバンド変調信号生成部１２が出力するＡＳＫ以外の変調に対応した対になったベースバンド変調信号が、直交変調部１６へ出力される。
【００４６】
（２）ＡＳＫ変調を行う場合であって、ＡＳＫ変調方式の送信電力とＡＳＫ以外の変調方式の送信電力との比を１倍にする場合には、ＡＳＫ電力比「１」を指定するＡＳＫ電力比指定信号がスイッチ制御部２６に通知され、ＡＳＫ変調方式を指定する変調方式指定信号が変調方式スイッチ２５及びスイッチ制御部２６に通知される。この通知を受けて、変調方式スイッチ２５は、入力端子ｃと出力端子との接続に切り替える。また、スイッチ制御部２６は、この通知を受けて、電力比スイッチ２４を入力端子ｂと出力端子との接続に切り替える制御を行う。この切り替えにより、ＡＳＫ変調方式用ベースバンド変調信号生成部１１が出力するＡＳＫ変調に対応した片軸のベースバンド変調信号及び値ゼロの信号が、直交変調部１６へ出力される。
【００４７】
（３）ＡＳＫ変調を行う場合であって、ＡＳＫ変調方式の送信電力とＡＳＫ以外の変調方式の送信電力との比を２倍にする場合には、ＡＳＫ電力比「２」を指定するＡＳＫ電力比指定信号がスイッチ制御部２６に通知され、ＡＳＫ変調方式を指定する変調方式指定信号が変調方式スイッチ２５及びスイッチ制御部２６に通知される。この通知を受けて、変調方式スイッチ２５は、入力端子ｃと出力端子との接続に切り替える。また、スイッチ制御部２６は、この通知を受けて、電力比スイッチ２４を入力端子ａと出力端子との接続に切り替える制御を行う。この切り替えにより、ＡＳＫ変調方式用ベースバンド変調信号生成部１１が出力するＡＳＫ変調に対応した片軸のベースバンド変調信号が両軸入力となる信号対が、直交変調部１６へ出力される。
【００４８】
以上のように、本発明の第２の実施形態に係る通信装置２は、上述した効果に加え、ベースバンド変調信号生成部と変調方式スイッチとが一体形成されていて回路変更ができない場合に特に有用である。
なお、上記実施形態では、変調方式選択部において変調方式スイッチの直後に電力比スイッチを配置させた。しかし、それらのスイッチの間に、例えばＤ／Ａ変換器やフィルタやレベル変換回路等を設けることは、通常の設計の範囲内である。
【００４９】
（第３の実施形態）
図８は、本発明の第３の実施形態に係る通信装置３の構成を示すブロック図である。図８において、第３の実施形態に係る通信装置３は、送信部３０、受信部５０、データ処理部６０、送信アンテナ７０及び受信アンテナ８０から構成される。送信部３０は、第１の信号生成部１１と、第２の信号生成部１２と、変調方式選択部３３と、直交変調部１６と、信号源１７と、高周波電力増幅部１８とを備える。この第３の実施形態に係る通信装置３は、上記第１の実施形態に係る通信装置１に対して、変調方式選択部３３の構成が異なる。以下、この異なる変調方式選択部３３について説明する。
【００５０】
変調方式選択部３３は、変調方式スイッチ３５、電力比スイッチ３４及びスイッチ制御部３６で構成される。変調方式スイッチ３５は、２端子が一対となった２つの入力端子と２端子が一対となった１つの出力端子を有し、別途与えられる変調方式指定信号に基づいて入力端子と出力端子との接続切り替えを制御するスイッチである。図８の例では、一方の入力端子ｃにはＡＳＫ変調方式用ベースバンド変調信号生成部１１が出力する信号が分配されて一対として入力され、他方の入力端子ｄには非ＡＳＫ変調方式用ベースバンド変調信号生成部１２が出力する一対となった信号がそれぞれ入力される。
【００５１】
スイッチ制御部３６は、別途与えられる変調方式指定信号及びＡＳＫ電力比指定信号に基づいて、電力比スイッチ３４の接続切り替えを制御する。電力比スイッチ３４は、２つの入力端子と１つの出力端子を有し、スイッチ制御部３６の指示に基づいて入力端子と出力端子との接続切り替えを制御するスイッチである。図８の例では、一方の入力端子ａには値ゼロの信号が、他方の入力端子ｂには変調方式スイッチ３５から出力されるいずれか一方の信号が、それぞれ入力される。
【００５２】
この変調方式選択部３３で行われる接続切り替え制御は、送信データに施したい変調方式及び送信電力比に応じて、変調方式スイッチ３５及び電力比スイッチ３４が図９に示す組み合わせで切り替えられる。
（１）ＡＳＫ以外の変調を行う場合には、ＡＳＫ以外の変調方式を指定する変調方式指定信号が、変調方式スイッチ３５及びスイッチ制御部３６に通知される。この通知を受けて、変調方式スイッチ３５は、入力端子ｄと出力端子との接続に切り替える。また、スイッチ制御部３６は、この通知を受けて、電力比スイッチ３４を入力端子ｂと出力端子との接続に切り替える制御を行う。この切り替えにより、非ＡＳＫ変調方式用ベースバンド変調信号生成部１２が出力するＡＳＫ以外の変調に対応した対になったベースバンド変調信号が、直交変調部１６へ出力される。
【００５３】
（２）ＡＳＫ変調を行う場合であって、ＡＳＫ変調方式の送信電力とＡＳＫ以外の変調方式の送信電力との比を１倍にする場合には、ＡＳＫ電力比「１」を指定するＡＳＫ電力比指定信号がスイッチ制御部３６に通知され、ＡＳＫ変調方式を指定する変調方式指定信号が変調方式スイッチ３５及びスイッチ制御部３６に通知される。この通知を受けて、変調方式スイッチ３５は、入力端子ｃと出力端子との接続に切り替える。また、スイッチ制御部３６は、この通知を受けて、電力比スイッチ３４を入力端子ａと出力端子との接続に切り替える制御を行う。この切り替えにより、ＡＳＫ変調方式用ベースバンド変調信号生成部１１が出力するＡＳＫ変調に対応した片軸のベースバンド変調信号及び値ゼロの信号が、直交変調部１６へ出力される。
【００５４】
（３）ＡＳＫ変調を行う場合であって、ＡＳＫ変調方式の送信電力とＡＳＫ以外の変調方式の送信電力との比を２倍にする場合には、ＡＳＫ電力比「２」を指定するＡＳＫ電力比指定信号がスイッチ制御部３６に通知され、ＡＳＫ変調方式を指定する変調方式指定信号が変調方式スイッチ３５及びスイッチ制御部３６に通知される。この通知を受けて、変調方式スイッチ３５は、入力端子ｃと出力端子との接続に切り替える。また、スイッチ制御部３６は、この通知を受けて、電力比スイッチ３４を入力端子ｂと出力端子との接続に切り替える制御を行う。この切り替えにより、ＡＳＫ変調方式用ベースバンド変調信号生成部１１が出力するＡＳＫ変調に対応した片軸のベースバンド変調信号が両軸入力となる信号対が、直交変調部１６へ出力される。
【００５５】
以上のように、本発明の第３の実施形態に係る通信装置３は、上述した効果に加え、ベースバンド変調信号生成部と変調方式スイッチとが一体形成されていて回路変更ができない場合に特に有用である。
なお、上記実施形態では、変調方式選択部において変調方式スイッチの直後に電力比スイッチを配置させた。しかし、それらのスイッチの間に、例えばＤ／Ａ変換器やフィルタやレベル変換回路等を設けることは、通常の設計の範囲内である。
【００５６】
（第４の実施形態）
図１０は、本発明の第４の実施形態に係る通信装置４の構成を示すブロック図である。図１０において、第４の実施形態に係る通信装置４は、送信部４０、受信部５０、データ処理部６０、送信アンテナ７０及び受信アンテナ８０から構成される。送信部４０は、第１のデータ生成部４１と、第２のデータ生成部４２と、変調方式選択部１３と、低域通過フィルタ部４３及び４４と、直交変調部１６と、信号源１７と、高周波電力増幅部１８とを備える。この第４の実施形態に係る通信装置４は、上記第１の実施形態に係る通信装置１の第１の信号生成部１１に含まれていた低域通過フィルタ部１１３と（図２Ａを参照）、第２の信号生成部１２に含まれていた低域通過フィルタ部１２３（図２Ｂを参照）とを、共用化した構成である。以下、第１のデータ生成部４１、第２のデータ生成部４２、低域通過フィルタ部４３及び４４について説明する。
【００５７】
ＡＳＫ変調方式を用いた例では、第１のデータ生成部４１がＡＳＫデータ生成部４１となり、第２のデータ生成部４２が非ＡＳＫデータ生成部４２となる。ＡＳＫデータ生成部４１は、データ処理部６０から送信データを入力し、ＡＳＫ変調方式に対応する片軸のデータを生成する。非ＡＳＫデータ生成部４２は、ＡＳＫ以外の変調方式に対応する両軸のデータを生成する。低域通過フィルタ部４３及び４４は、変調方式選択部１３から一対で出力される信号にそれぞれ帯域制限を施し、ベースバンド変調信号として出力する。この低域通過フィルタ部４３及び４４は、線形動作を行うため、変調方式指定信号やＡＳＫ電力比指定信号により生じるデータ振幅の比は、直交変調部１６に入力されるベースバンド変調信号の比として保存される。
【００５８】
以上のように、本発明の第４の実施形態に係る通信装置４は、低域通過フィルタ部を共用する従来の通信装置の構成にも適用することができる。
なお、第４の実施形態では、第１のデータ生成部４１、第２のデータ生成部４２、低域通過フィルタ部４３及び４４の構成を、第１の実施形態に係る通信装置１に適用させた例を示したが、この構成は第２及び第３の実施形態に係る通信装置２及び３にも同様に適用することができる。
【００５９】
ここで、第１〜第４の実施形態の変調方式選択部１３〜３３に含まれるスイッチの具体的な使用例を説明する。
一般に通信装置は、デジタル情報である送信データを、アナログ波形である高周波信号に変調して送信する。よって、通信装置の前半部分をデジタル信号処理回路で構成し、後半部分をアナログ信号処理回路で構成することが好ましい。しかし、デジタル信号処理回路とアナログ信号処理回路との境界は、設計に委ねられるため、スイッチでデジタル信号を扱う場合もアナログ信号を扱う場合もあり得る。なお、通常、デジタル信号を扱う場合は、信号が複数ビットの並列で表されるためスイッチの端子数は多く、アナログ信号を扱う場合はスイッチの端子数は少なくなる。
【００６０】
これらのことを考慮すると、デジタル用のスイッチとしては、論理回路で構成するいわゆるデータセレクタが考えられる。アナログ用のスイッチとしては、ＦＥＴ等で構成するいわゆるアナログスイッチが考えられる。これらのスイッチは半導体で構成されるため、他の回路との集積化が容易である。特に、スイッチの接続が通信装置の運用中は固定的な場合（例えば、ＡＳＫ電力比は運用中は変更しない場合）には、アナログ用のスイッチとしては機械的なものでもよい。例えば、ディップスイッチである。また、ＡＳＫ電力比指定に応じて送信装置で用いるプリント基板の配線パターンを変えることで、スイッチ切り替えを行ってもよい。この場合、スイッチを制御するＡＳＫ電力比指定は、配線図等の設計データにあたる。また、デジタル用のスイッチとしては、アナログ用のスイッチと同様に機械的なものでもよい。ただし、端子数が多く設置面積が大きくなるため、通信装置内に場所の余裕がある場合に用いるほうがよい。
【００６１】
また、上記第１〜第４の実施形態で説明したＡＳＫ変調方式を、ＢＰＳＫ変調方式とした場合について説明する。ＢＰＳＫ変調方式の場合は、一般にＢＰＳＫ以外の変調方式と同じく送信電力を平均値で規定する。しかし、ＢＰＳＫのような信号点間の距離が長い変調方式とＢＰＳＫ以外の変調方式とでは、伝送誤りの非線形歪に対する耐性が異なるため、高周波電力増幅部が出力し得る送信電力が異なる。このように、ＢＰＳＫ変調方式の場合でも、送信電力の仕様が異なる複数種類の通信装置が存在する可能性があるため、ＡＳＫ変調方式の場合と同じ課題が生じる。
【００６２】
ＢＰＳＫ変調方式は、ＡＳＫ変調方式と同様に対になったベースバンド変調信号の一方だけで表せるため、第１〜第４の実施形態と同様の構成で通信装置が実現できる。直交変調時の信号空間ダイアグラムの一例は、図１１となる。図１１において、○印で示した点がＱＰＳＫの信号点であり、×印で示した点がＢＰＳＫの信号点である。ＢＰＳＫ電力比指定が「１」である場合、Ｉ軸入力がＢＰＳＫ変調方式用ベースバンド変調信号で、Ｑ軸入力が値ゼロの信号であるため、そのＢＰＳＫの信号点はＡの×印とＢの×印になる。一方、ＢＰＳＫ電力比指定が「２」である場合、Ｉ軸入力もＱ軸入力も同一のＢＰＳＫ変調方式用ベースバンド変調信号であるため、そのＢＰＳＫの信号点はＣの×印とＤの×印になる。ＱＰＳＫ変調（○印）の平均振幅と比べると、ＢＰＳＫ変調（×印）の平均振幅は、ＢＰＳＫ電力比指定が「１」の場合が１倍、ＢＰＳＫ電力比指定が「２」の場合が√２倍になっている。
【００６３】
なお、本発明の第１の信号生成部１１、第２の信号生成部１２及び変調方式選択部１３〜３３の各機能ブロックは、典型的には集積回路であるＬＳＩ（集積度の違いにより、ＩＣ、システムＬＳＩ、スーパーＬＳＩ、又はウルトラＬＳＩ等と称される）として実現される（図１の破線を参照）。これらは、個別に１チップ化されてもよいし、一部又は全部を含むように１チップ化されてもよい。
また、集積回路化の手法は、ＬＳＩに限るものではなく、専用回路又は汎用プロセッサで実現してもよい。また、ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
さらには、半導体技術の進歩又は派生する別の技術により、ＬＳＩに置き換わる集積回路化の技術が登場すれば、当然その技術を用いて機能ブロックの集積化を行ってもよい。バイオ技術の適応等が可能性としてあり得る。
【産業上の利用可能性】
【００６４】
本発明は、狭域通信システム等の複数の変調方式を使用する通信システム等に利用可能であり、特に送信電力の仕様が異なる通信装置が存在する場合等に有用である。
【図面の簡単な説明】
【００６５】
【図１】本発明の第１の実施形態に係る通信装置１の構成を示すブロック図
【図２Ａ】ＡＳＫ変調方式用ベースバンド変調信号生成部１１の構成例
【図２Ｂ】非ＡＳＫ変調方式用ベースバンド変調信号生成部１２の構成例
【図３Ａ】ＡＳＫ変調方式用ベースバンド変調信号生成部１１の他の構成例
【図３Ｂ】非ＡＳＫ変調方式用ベースバンド変調信号生成部１２の他の構成例
【図４】変調方式選択部１３で行われる接続切り替え制御を説明する図
【図５】直交変調時の信号空間ダイアグラムを示す図（ＡＳＫ変調方式とＱＰＳＫ変調方式）
【図６】本発明の第２の実施形態に係る通信装置２の構成を示すブロック図
【図７】変調方式選択部２３で行われる接続切り替え制御を説明する図
【図８】本発明の第３の実施形態に係る通信装置３の構成を示すブロック図
【図９】変調方式選択部３３で行われる接続切り替え制御を説明する図
【図１０】本発明の第４の実施形態に係る通信装置４の構成を示すブロック図
【図１１】直交変調時の信号空間ダイアグラムを示す図（ＢＰＳＫ変調方式とＱＰＳＫ変調方式）
【図１２】従来の通信装置の構成を示すブロック図
【符号の説明】
【００６６】
１〜４  通信装置
１０、２０、３０、４０  送信部
１１  ＡＳＫ変調方式用ベースバンド変調信号生成部
１２  非ＡＳＫ変調方式用ベースバンド変調信号生成部
１３、２３、３３  変調方式選択部
１４、２４、３４  電力比スイッチ
１５、２５、３５  変調方式スイッチ
２６、３６  スイッチ制御部
１６、２０６  直交変調部
１７、２０７  信号源
１８、２０８  高周波電力増幅部
４１、２０１  ＡＳＫデータ生成部
４２、２０２  非ＡＳＫデータ生成部（ＱＰＳＫデータ生成部）
４３、４４、１１３、１２３、１２４、２０４、２０５  低域通過フィルタ部
５０  受信部
６０  データ処理部
７０、８０、２０９  アンテナ
１１１、１２１  符号化部
１１２、１２２  マッピング部
１１５、１２５  シフトレジスタ
１１６、１２６  波形ＲＯＭ
１１７、１２７  カウンタ
２０３  データ選択部
【図１】
2005278162.tif 000003
【図２Ａ】
2005278162.tif 000004
【図２Ｂ】
2005278162.tif 000005
【図３Ａ】
2005278162.tif 000006
【図３Ｂ】
2005278162.tif 000007
【図４】
2005278162.tif 000008
【図５】
2005278162.tif 000009
【図６】
2005278162.tif 000010
【図７】
2005278162.tif 000011
【図８】
2005278162.tif 000012
【図９】
2005278162.tif 000013
【図１０】
2005278162.tif 000014
【図１１】
2005278162.tif 000015
【図１２】
2005278162.tif 000016